(57)【要約】【課題】封水部内のぬめり等の汚れを簡単に除去できる配管設備を提供する。【解決手段】排水口１に接続される排水管２の一部がＳ字状に湾曲して封水部３を形成し封水Ｗが貯留する配管設備において、前記封水部３の内壁面を導電性材料４で構成し封水部３内に内壁面から電気的に離間して金属体５を設けるとともに、導電性材料４で構成される封水部３の内壁面を陰極、前記金属体５を陽極として電圧印加する電源６を備えており、封水部３に貯留する封水Ｗを通じて封水部３の内壁面と金属体５とを通電できるようにしている。【選択図】図１
2010077658.tif 000002
【特許請求の範囲】
【請求項１】
排水口に接続される排水管の一部がＳ字状に湾曲して封水部を形成し封水が貯留する配管設備において、前記封水部の内壁面を導電性材料で構成し封水部内に内壁面から電気的に離間して金属体を設けるとともに、導電性材料で構成される封水部の内壁面を陰極、前記金属体を陽極として電圧印加する電源を備えており、封水部に貯留する封水を通じて封水部の内壁面と金属体とを通電できるようにしていることを特徴とする配管設備。
【発明の詳細な説明】
【技術分野】
【０００１】
本発明は、流し台や洗面台等の水廻り設備の配管設備に関するものである。
【背景技術】
【０００２】
従来、流し台や洗面台等の水廻り設備の排水口に接続される配管の一部がＳ字状に湾曲して封水部を形成し、封水部に溜めた水（封水）によって下水側の臭気が排水口から放散することを防止した配管設備が知られている。このような配管設備においては、排水中に含まれる有機廃棄物をはじめとする様々な汚れが配管の内壁面に付着し、水が常に溜められている封水部では特に菌やカビ等が繁殖し易い状況にある。これら菌やカビ等の繁殖は、ぬめりを発生させ、悪臭の原因となる。これをそのまま放置しておくと、配管の内壁面に徐々に汚れが付着して排水に時間がかかるようになり、最終的には配管詰まりを引き起こしてしまう。このような場合、配管ブラシ等で時間をかけて清掃することが必要であった。
【０００３】
そこで、手間のかかる清掃作業の頻度を低減するために、封水部内に一対の電極部を設けてこの電極部に電圧を印加することにより封水部内を殺菌することが提案されている。例えば、特許文献１では、給水栓から供給される水の流れを利用した水力発電機を電源として封水部内の電極部に電圧を印加することにより、省エネルギー化を実現するとともに封水部に殺菌成分を生成している。
【特許文献１】特開２００５−１３３３１５号公報
【発明の開示】
【発明が解決しようとする課題】
【０００４】
しかしながら、上記方法は殺菌成分の生成によって菌やカビ等を死滅させてぬめりや悪臭の発生を抑制することはできるものの、発生したぬめりを除去することができなかった。
【０００５】
また、強アルカリ性や強酸性の専用洗浄剤を使用する方法もあるが、その場合には部材の劣化、環境面に負荷がかかるという問題もあった。
【０００６】
本発明は、以上のとおりの事情に鑑みてなされたものであり、封水部内のぬめり等の汚れを簡単に除去できる配管設備を提供することを課題としている。
【課題を解決するための手段】
【０００７】
本発明は、上記の課題を解決するために、排水口に接続される排水管の一部がＳ字状に湾曲して封水部を形成し封水が貯留する配管設備において、前記封水部の内壁面を導電性材料で構成し封水部内に内壁面から電気的に離間して金属体を設けるとともに、導電性材料で構成される封水部の内壁面を陰極、前記金属体を陽極として電圧印加する電源を備えており、封水部に貯留する封水を通じて封水部の内壁面と金属体とを通電できるようにしていることを特徴としている。
【発明の効果】
【０００８】
本発明によれば、導電性材料で構成される封水部の内壁面と金属体との間を通電させることで、導電性材料表面の封水の電気分解に伴う発生ガスによって封水部内のぬめり等の汚れを簡単に除去することができる。したがって、従来、配管ブラシ等で時間をかけて清掃していたが、本発明ではその手間を省くことができる。また、従来は強アルカリ性や強酸性の専用洗浄剤を使用することがあり、その場合には部材の劣化、環境面に負荷がかかるという問題もあったが、本発明では安全性がより高く環境面に与える負荷も小さい。
【発明を実施するための最良の形態】
【０００９】
本発明は前記のとおりの特徴をもつものであるが、以下に、本発明を実施するための最良の形態を説明する。
【００１０】
本発明の配管設備は、流し台や洗面台等の水廻り設備の排水口に排水管が接続され、その排水管の一部がＳ字状に湾曲して封水部を形成している。図１（ａ）は本発明の配管設備の一実施形態である洗面台の概略構成図であり、図１（ｂ）は要部概略構成図である。図２は図１の洗面台の排水管の断面図である。
【００１１】
本実施形態に係る洗面台は、図１に示すように、上方に開口する洗面ボウル７の底部に排水口１が設けられ、この排水口１に排水管２が連通接続されて排水路を形成している。排水管２は、絶縁管とされ、その一部がＳ字状に湾曲して封水部３を形成しており、洗面台未使用時に前記封水部３に排水が溜まり、この封水部３に溜められた水（封水Ｗ）によって下水側の臭気が排水口１から放散することを防止している。
【００１２】
絶縁管である排水管２の封水部３の内壁面は、その封水部３の全周面にわたって導電性材料４で構成されている。後述するが、この導電性材料４に電圧印加することにより、導電性材料４で構成される封水部３の内壁面を陰極として作用させる。導電性材料４の材質としては、通電性を確保でき、腐蝕しにくい材料であれば特に限定されるものではなく、例えば、黒鉛等の炭素系材料、アルミニウム、ステンレス、白金等の貴金属等を例示することができる。
【００１３】
本実施形態では、封水部３の内部にその内壁面から電気的に離間して金属体５を設けている。「電気的に離間」とは、封水部３の内壁面を構成する導電性材料４と封水部３の内部に設けられる金属体５とが電気的に接触しておらず短絡していない状態をいう。本実施形態では、図２に示すように、封水部３の内壁面と金属体５の間に合成樹脂等の絶縁材料８を介在させて封水部３の内部に金属体５を配設している。金属体５の材質としては、通電性を確保でき、腐蝕しにくい材料であれば特に限定されるものではなく、例えば、アルミニウム、白金等の貴金属等を例示することができる。
【００１４】
さらに、導電性材料４および金属体５に電圧印加する電源６が設けられる。この電源６は外部電源や電池等であり、電源６のマイナス極側に導電性材料４が導線９ａで結線され、電源６のプラス極側に金属体５が導線９ｂで結線され、導電性材料４で構成される封水部３の内壁面を陰極、金属体５を陽極として電圧印加される。金属体５は封水部３の内部に設けられることから、金属体５と電源６を結ぶ導線９ｂが封水部３の内壁面を構成する導電性材料４と電気的に接触しないようにすることが考慮される。例えば、図２に示すように、導線９ｂの周囲を絶縁材料８で覆うようにしている。
【００１５】
また、電源６から導電性材料４および金属体５への電圧印加のＯＮ−ＯＦＦを行う制御部が設けられていてもよい。制御部の操作により、封水部３内のぬめり等の汚れを除去することができる。制御部は定期的に電源６を作動させるように設定されていてもよい。
【００１６】
以上の構成において、電源６による電圧印加により、導電性材料４で構成される封水部３の内壁面を陰極、封水部３の内部に設けられる金属体５を陽極として封水Ｗを通じて通電させると、封水部３の内壁面表面の封水Ｗが電気分解してガスが発生し、そのガスの力によって封水部３の内壁面のぬめり等の汚れが容易に除去される。したがって、従来、配管ブラシ等で時間をかけて清掃していたが、本発明では労力や時間をかけずに簡単に汚れを除去することができる。また、従来は強アルカリ性や強酸性の専用洗浄剤を使用することがあり、その場合には部材の劣化、環境面に負荷がかかるという問題もあったが、本発明では安全性がより高く環境面に与える負荷が小さくなるという利点もある。
【００１７】
以上、実施形態に基づき本発明を説明したが、本発明は上記の実施形態に何ら限定されるものではなく、その要旨を逸脱しない範囲内において各種の変更が可能である。例えば、上記の実施形態では、洗面台の排水口に接続される排水管の内壁面が封水部においてのみ導電性材料で構成されることを説明したが、図３に示すように、封水部３に限らず排水管２全体にわたってその内壁面が導電性材料４で構成されていてもよい。このような実施形態では、封水部３以外の排水管２の内壁面に付着する水が封水Ｗにつながっていれば、封水部３の内壁面の汚れに限らず、水が付着している箇所の内壁面の汚れを除去することができる。
【００１８】
また、本実施形態では封水部に水道水を溜めているが、電解液を封水部に溜めて通電させてもよい。これによって、封水の電気分解をより促進させ、汚れ除去効果をさらに高めることができる。電解液としては、例えば３％程度の食塩水を用いることができる。
【００１９】
さらに、上記の実施形態では、洗面台の配管設備について説明したが、これに限定されずに、例えば、キッチンの流し台や、トイレ、浴室等の配管設備であってもよい。
【図面の簡単な説明】
【００２０】
【図１】（ａ）は本発明の配管設備の一実施形態である洗面台の概略構成図であり、（ｂ）は要部概略構成図である。
【図２】図１の洗面台の排水管の断面図である。
【図３】本発明の配管設備の別の一実施形態である洗面台の要部概略構成図である。
【符号の説明】
【００２１】
１  排水口
２  排水管
３  封水部
４  導電性材料
５  金属体
６  電源
Ｗ  封水
【図１】
2010077658.tif 000003
【図２】
2010077658.tif 000004
【図３】
2010077658.tif 000005